(57)【要約】【課題】他のユーザのカメラの撮影対象を知ることを可能とする。【解決手段】このシステムは、複数のカメラ１と、サーバ３と、表示端末４とを含む。上記複数のカメラ１の各々は、当該カメラ１の現在位置及び方向を検出するＧＰＳ受信機及び制御部と、当該カメラ１の現在位置及び方向をサーバに送信する無線通信部と、を備える。上記サーバ３は、複数のカメラ１の各々から受信した現在位置及び方向を記憶する位置情報データベースと、複数のカメラ１に含まれる少なくとも１つのカメラ１の現在位置及び方向を、表示端末４に送信する通信部と、を備える。上記表示端末４は、少なくとも１つのカメラ１の現在位置及び方向を地図内に示した映像を表示するタッチスクリーンディスプレイを備える。【選択図】図１
2015099581.tif 000002
【特許請求の範囲】
【請求項１】
複数のカメラと、サーバと、表示端末とを含む情報提示システムであって、
前記複数のカメラの各々は、
当該カメラの現在位置及び方向を検出する現在位置検出手段と、
当該カメラの現在位置及び方向を前記サーバに送信する第１送信手段と、
を備え、
前記サーバは、
前記複数のカメラの各々から受信した現在位置及び方向が記憶される現在位置記憶部と、
前記複数のカメラに含まれる少なくとも１つのカメラの現在位置及び方向を、前記表示端末からの情報送信の要求に応じて前記表示端末に送信する第２送信手段と、
を備え、
前記表示端末は、
前記サーバに情報送信の要求を送信する第３送信手段と、
前記サーバから受信した情報であるカメラの現在位置及び方向を地図内に示した映像を表示する表示部と、
を備えることを特徴とする情報提示システム。
【請求項２】
請求項１に記載の情報提示システムにおいて、
前記表示端末は、
地図を記憶した地図記憶部と、
前記サーバから受信した情報であるカメラの現在位置及び方向を前記地図内に示した映像を生成し前記表示部に表示する映像生成手段と、
をさらに備えることを特徴とする情報提示システム。
【請求項３】
請求項１又は２に記載の情報提示システムにおいて、
前記サーバは、
前記複数のカメラの各々に関係付けられた情報を記憶する関係情報記憶部
をさらに備え、
前記表示端末は、
前記表示部に表示されている少なくとも１つのカメラの指定を受け付ける入力部と、
前記入力部で指定されたカメラに関係付けられた前記情報を前記サーバに要求する要求処理手段と、
をさらに備え、
前記サーバの前記第２送信手段は、前記情報を前記表示端末からの要求に基づいて前記表示端末に送信する
ことを特徴とする情報提示システム。
【請求項４】
請求項３に記載の情報提示システムにおいて、
前記関係情報記憶部には、前記複数のカメラの各々に関係付けられたＵＲＬを含む情報が記憶され、
前記表示端末の前記表示部は、前記情報に含まれる前記ＵＲＬをリンク先とするハイパーリンクを表示する
ことを特徴とする情報提示システム。
【請求項５】
請求項１乃至３のいずれか１項に記載の情報提示システムにおいて、
前記複数のカメラの各々は、当該カメラの属性が記憶される属性記憶部をさらに備え、
前記第１送信手段は、当該カメラの現在位置および方向に加えて前記カメラの属性もあわせて前記サーバに送信し、
前記サーバは、受信した前記カメラの属性が記憶される受信カメラ属性記憶部をさらに備え、
前記第２送信手段は、前記カメラの現在位置および方向に加えて、前記受信カメラ属性記憶部に記憶した前記受信した前記カメラの属性もあわせて前記表示端末に送信し、
前記表示端末の前記表示部は、前記サーバから受信した前記カメラの属性の少なくとも一部が一致する複数の前記カメラについて、前記サーバから受信した当該複数の前記カメラの現在位置及び方向を同一の態様で表示することを特徴とする情報提示システム。
【請求項６】
請求項５に記載の情報提示システムにおいて、
前記表示端末は、前記カメラの属性が記憶される自己属性記憶部をさらに備え、
前記表示端末の前記表示部は、前記サーバから受信した前記カメラの属性が当該表示端末の前記自己属性記憶部に記憶されている前記カメラの属性の少なくとも一部と一致する前記カメラについて、当該カメラの現在位置及び方向を特定の態様で表示することを特徴とする情報提示システム。
【請求項７】
請求項１乃至６のいずれか１項に記載の情報提示システムにおいて、
前記複数のカメラの各々は、
当該カメラの識別情報であるカメラＩＤが記憶される識別情報記憶部をさらに備え、
前記第１送信手段は、当該カメラが撮影して得られた撮影画像および当該カメラの前記カメラＩＤを前記サーバに送信し、
前記サーバは、
前記カメラＩＤと前記表示端末の識別情報とを関連付けて保存する通知リストをさらに備え、
前記第２送信手段は、前記通知リストに保存された前記カメラＩＤとともに受信した前記撮影画像を、当該カメラＩＤに関連付けられた前記表示端末に送信することを特徴とする情報提示システム。
【請求項８】
請求項７に記載の情報提示システムにおいて、
前記表示端末は、前記サーバから受信した前記撮影画像を用いて、前記撮影画像のサムネイル画像を作成するサムネイル画像作成手段と、
前記サムネイル画像作成手段の作成した前記サムネイル画像の一覧を前記表示部に表示するサムネイル一覧表示手段と、
前記表示部に表示された前記サムネイル画像の一覧からサムネイル画像を選択するサムネイル選択手段と、
前記サムネイル選択手段により選択されたサムネイル画像に対応する前記撮影画像を表示する選択画像表示手段と、をさらに備えることを特徴とする情報提示システム。
【請求項９】
複数のカメラと、サーバとを含む情報提示システムであって、
前記複数のカメラの各々は、
当該カメラの現在位置及び方向を検出する現在位置検出手段と、
当該カメラの現在位置及び方向を前記サーバに送信するとともに、前記サーバに情報送信の要求を送信する第１送信手段と、
前記サーバから受信した情報であるカメラの現在位置及び方向を、地図内に示した映像を表示する表示部と、
を備え、
前記サーバは、
前記複数のカメラの各々から受信した現在位置及び方向が記憶される現在位置記憶部と、
前記情報送信の要求に応じて、前記複数のカメラに含まれる前記少なくとも１つのカメラの現在位置及び方向を、前記情報送信の要求を送信したカメラに送信する第２送信手段と、
を備えることを特徴とする情報提示システム。
【請求項１０】
請求項９に記載の情報提示システムにおいて、
前記サーバは、
前記複数のカメラの各々に関係付けられたＵＲＬを含む情報が記憶される関係情報記憶部をさらに備え、
前記第２送信手段は、前記ＵＲＬを含む情報を前記カメラからの要求に基づいて前記カメラに送信し、
前記複数のカメラの各々は、
前記表示部に表示されている少なくとも１つのカメラの指定を受け付ける入力部と、
前記入力部で指定されたカメラに関係付けられた前記ＵＲＬを含む情報を前記サーバに要求する要求処理手段と、
をさらに備え、
前記表示部は、前記ＵＲＬを含む情報に含まれる前記ＵＲＬをリンク先とするハイパーリンクを表示する
ことを特徴とする情報提示システム。
【請求項１１】
請求項９または１０に記載の情報提示システムにおいて、
前記複数のカメラの各々は、当該カメラの属性が記憶される属性記憶部をさらに備え、
前記第１送信手段は、当該カメラの現在位置および方向に加えて前記カメラの属性もあわせて前記サーバに送信し、
前記サーバは、受信した前記カメラの属性が記憶される受信カメラ属性記憶部をさらに備え、
前記第２送信手段は、前記カメラの現在位置および方向に加えて前記受信カメラ属性記憶部に記憶されている前記受信した前記カメラの属性もあわせて前記カメラに送信し、
前記カメラの表示部は、前記サーバから受信した前記カメラの属性の少なくとも一部が一致する複数の前記カメラについて、前記サーバから受信した当該複数の前記カメラの現在位置及び方向を同一の態様で表示することを特徴とする情報提示システム。
【請求項１２】
請求項１１に記載の情報提示システムにおいて、
前記カメラの表示部は、前記サーバから受信した前記カメラの属性が当該カメラの前記属性記憶部に記憶されている前記カメラの属性の少なくとも一部と一致する前記カメラの現在位置及び方向について、特定の態様で表示することを特徴とする情報提示システム。
【請求項１３】
請求項９乃至１２のいずれか１項に記載の情報提示システムにおいて、
前記複数のカメラの各々は、
当該カメラの識別情報であるカメラ識別情報が記憶される識別情報記憶部をさらに備え、
前記第１送信手段は、当該カメラが撮影して得られた撮影画像および当該カメラの前記カメラ識別情報を前記サーバに送信し、
前記サーバは、
撮影カメラと、前記撮影カメラで撮影して得られた撮影画像を受信する受信カメラとの組合せを前記カメラ識別情報を用いて対応付けて保存する配信リストをさらに備え、
前記第２送信手段は、前記配信リストに保存された前記撮影カメラのカメラ識別情報とともに受信した前記撮影画像を、当該カメラ識別情報に対応付けられた前記受信カメラのカメラ識別情報を有するカメラに送信することを特徴とする情報提示システム。
【請求項１４】
請求項１３に記載の情報提示システムにおいて、
前記複数のカメラの各々は、前記サーバから受信した前記撮影画像を用いて、前記撮影画像のサムネイル画像を作成するサムネイル画像作成手段と、
前記サムネイル画像作成手段の作成した前記サムネイル画像の一覧を前記表示部に表示するサムネイル一覧表示手段と、
前記表示部に表示された前記サムネイル画像の一覧からサムネイル画像を選択するサムネイル選択手段と、
前記サムネイル選択手段により選択されたサムネイル画像に対応する前記撮影画像を表示する選択画像表示手段と、をさらに備えることを特徴とする情報提示システム。
【請求項１５】
複数のカメラ、および表示端末と通信を行う通信手段を備えるサーバであって、
前記サーバは、
前記複数のカメラの各々から受信した現在位置及び方向が記憶される現在位置記憶部をさらに備え、
前記通信手段は、前記複数のカメラに含まれる少なくとも１つのカメラの現在位置及び方向を、前記表示端末からの情報送信の要求に応じて前記表示端末に送信することを特徴とするサーバ。
【請求項１６】
複数のカメラと通信を行う通信手段を備えるサーバであって、
前記サーバは、
前記複数のカメラの各々から受信した現在位置及び方向が記憶される現在位置記憶部をさらに備え、
前記通信手段は、前記複数のカメラに含まれる少なくとも１つのカメラの現在位置及び方向を、前記カメラからの情報送信の要求に応じて前記カメラに送信することを特徴とするサーバ。
【発明の詳細な説明】
【技術分野】
【０００１】
本発明は、複数のカメラとサーバとを含む情報提示システムに関する。
【背景技術】
【０００２】
ユーザの現在位置周辺の施設に関する情報を提供する装置が提案されている。例えば、下記の特許文献１には、位置情報に関連づけられるコンテンツの検索結果を、ユーザが視認し易いように動的に更新して、地図上に表示することができるコンテンツ表示装置が開示されている。
【先行技術文献】
【特許文献】
【０００３】
【特許文献１】特開２００６−０２４１９６号公報
【発明の概要】
【発明が解決しようとする課題】
【０００４】
しかしながら、特許文献１に開示された技術においては、他のユーザのカメラの現在位置および方向から、他のユーザのカメラの撮影対象を知ることができない。
【課題を解決するための手段】
【０００５】
請求項１に係る発明は、複数のカメラと、サーバと、表示端末とを含むシステムであって、複数のカメラの各々は、当該カメラの現在位置及び方向を検出する現在位置検出手段と、当該カメラの現在位置及び方向をサーバに送信する第１送信手段と、を備え、サーバは、複数のカメラの各々から受信した現在位置及び方向が記憶される現在位置記憶部と、複数のカメラに含まれる少なくとも１つのカメラの現在位置及び方向を、表示端末からの情報送信の要求に応じて表示端末に送信する第２送信手段と、を備え、表示端末は、サーバに情報送信の要求を送信する第３送信手段と、サーバから受信した情報であるカメラの現在位置及び方向を、地図内に示した映像を表示する表示部と、を備えることを特徴とする。
【発明の効果】
【０００６】
請求項１に係る発明によれば、他のユーザのカメラの現在位置および方向から、他のユーザのカメラの撮影対象を知ることができる。
【図面の簡単な説明】
【０００７】
【図１】本発明の第１の実施の形態に係るシステムの構成を示す図である。
【図２】図１に示されたカメラのブロック図である。
【図３】図１に示されたサーバのブロック図である。
【図４】図１に示された表示端末のブロック図である。
【図５】図１に示されたシステムの動作を示すシーケンス図である。
【図６】表示端末のタッチスクリーンディスプレイに表示される映像の例を示す図である。
【図７】本発明の第２の実施の形態に係るシステムを構成するサーバにおける位置情報データベースの構成を示す図である。
【図８】表示端末のタッチスクリーンディスプレイに表示される映像の例を示す図である。
【図９】第３の実施の形態におけるカメラのブロック図である。
【図１０】第３の実施の形態におけるサーバのブロック図である。
【図１１】第３の実施の形態における表示端末４のブロック図である。
【図１２】第３の実施の形態におけるシステムの動作を示すシーケンス図である。
【図１３】第３の実施の形態において表示端末のタッチスクリーンディスプレイに表示される映像の例を示す図である。
【図１４】図１２に続く、システムの動作を示すシーケンス図である。
【図１５】変形例４においてサーバ３のストレージ３１に保存される、配信リスト３８ａの一例を示す図である。
【発明を実施するための形態】
【０００８】
（第１の実施の形態）
図１は、本発明の第１の実施の形態に係るシステムの構成を示す図である。この実施の形態に係るシステムは、複数のカメラ１と、サーバ３と、複数の表示端末４とを有している。カメラ１、サーバ３及び表示端末４は、互いにネットワーク９を介して接続可能となっている。ネットワーク９には、例えばインターネットなどが含まれる。カメラ１及び表示端末４は、後述のように無線通信部を備えており、無線で外部機器と接続される。
【０００９】
（カメラの構成）
図２は、図１に示されたカメラのブロック図である。カメラ１は、制御部１０と、撮像部１１と、操作部１６と、タッチスクリーンディスプレイ１７と、メモリカードＩ／Ｆ１９と、無線通信部２０と、フラッシュメモリ２１と、ＧＰＳ受信機２２と、電子コンパス２３とを有している。これらの各部には、図示しないバッテリーから電力が供給される。撮像部１１は、光学ユニット１２と、撮像素子１３と、信号処理部１４と、駆動部１５とを有している。
【００１０】
制御部１０は、撮像素子１３、信号処理部１４、駆動部１５、操作部１６、タッチスクリーンディスプレイ１７、メモリカードＩ／Ｆ１９、無線通信部２０、フラッシュメモリ２１、ＧＰＳ受信機２２及び電子コンパス２３と、それぞれ信号線で接続されている。制御部１０は、各種制御を行うために、不揮発メモリであるフラッシュメモリ２１からプログラムをロードして実行する。
【００１１】
光学ユニット１２は、図示しないレンズ、絞り、シャッター等の光学部品を含む。駆動部１５は、制御部１０による制御に従って、レンズの位置、絞りの開口量、シャッタースピード等を制御する。光学ユニット１２は、撮像素子１３の撮像面に被写体像を結像する。
【００１２】
撮像素子１３は、画素に対応する多数の光電変換素子を備えたイメージセンサである。撮像素子１３は、撮像面に結像された被写体像の明るさに応じたアナログの画像信号を出力する。信号処理部１４は、撮像素子１３が出力した画像信号に基づいて、ゲイン調整やデジタルの画像データへの変換などを行う。
【００１３】
操作部１６は、図示しないレリーズスイッチや、メニュー設定ボタン等を含んでいる。操作部１６に対する操作に基づいて、制御部１０が各種制御を行う。タッチスクリーンディスプレイ１７は、映像表示デバイスと位置入力デバイスとを組み合わせた電子部品である。タッチスクリーンディスプレイ１７に表示された映像に従って、ユーザが指などで触れたり、指を滑らせながら移動させたりすることにより、カメラ１に対する入力が可能となっている。制御部１０は、タッチスクリーンディスプレイ１７に映像信号を送信し、タッチスクリーンディスプレイ１７から入力情報を取得する。タッチスクリーンディスプレイ１７は、撮影するときに画角等を確認するための電子ファインダーとして、あるいは、その他のユーザインターフェース用の表示画面及び入力画面として利用される。
【００１４】
メモリカードＩ／Ｆ１９は、図示しないコネクタを介して接続されたメモリカード２４にアクセスして、データの書き込みや読み出しを行う。無線通信部２０は、制御部１０による制御に応じてネットワーク９に無線で接続し、サーバ３との間で通信を行う。
フラッシュメモリ２１には、前述したプログラムと、当該カメラの識別情報であるカメラＩＤとが保存されている。カメラの識別情報とは、たとえばシリアルナンバーである。
【００１５】
ＧＰＳ受信機２２は、複数のＧＰＳ衛星からそれぞれの電波信号を受信する装置である。制御部１０は、これらの電波信号に含まれるＧＰＳ衛星の位置情報と、これらの電波信号に含まれる発信時刻情報とに基づいてカメラ１の現在位置を算出する。
【００１６】
電子コンパス２３は、磁気センサを含んでおり、地磁気の向きを検出することにより、カメラ１の現在の方向を検出する。電子コンパス２３に加えて、又はその代わりに、角加速度やその積分値を検出する図示しない回転センサを用いることもできる。
【００１７】
（サーバの構成）
図３は、図１に示されたサーバのブロック図である。サーバ３は、制御部３０と、ストレージ３１と、通信部３６とを有している。これらの各部には、図示しないバッテリーから電力が供給される。制御部３０は、ストレージ３１及び通信部３６と、それぞれ信号線で接続されている。制御部３０は、各種制御を行うために、ストレージ３１からプログラム３２をロードして実行する。
【００１８】
ストレージ３１には、プログラム３２の他に、ユーザデータベース３３と、位置情報データベース３４と、画像データベース３５とが保存されている。
ユーザデータベース３３は、ユーザＩＤと、カメラＩＤと、当該カメラの機種や型番などのデータを関連づけて記憶している。ユーザデータベース３３は、一人のユーザが複数のカメラを所有する場合に、１つのユーザＩＤに複数のカメラＩＤを関連づけて記憶してもよい。ユーザＩＤは、各ユーザが任意に登録したニックネームであってもよい。
【００１９】
位置情報データベース３４は、カメラＩＤと、現在位置と、現在の方向とを関連づけて記憶している。現在位置及び現在の方向としては、カメラＩＤごとに、各カメラから通信部３６を介して受信した情報のうちの最新の情報が記憶される。
【００２０】
画像データベース３５は、カメラＩＤごとに、各カメラ１で撮影された少なくとも１つの画像を記憶している。画像データベース３５に記憶された画像の各々には、その撮影日時の他、「絞り」や「シャッタースピード」などの撮影条件が対応付けられている。画像データベース３５に記憶された画像は、各カメラから無線通信部２０及びネットワーク９を介してサーバ３に送信された画像、あるいは、各カメラからメモリカード２４及び図示しないパーソナルコンピュータを介して、サーバ３に送信された画像であってもよい。
【００２１】
なお、ユーザデータベース３３、位置情報データベース３４及び画像データベース３５は、制御部３０を有するサーバとは別体の、図示しないデータベースサーバに設けられていてもよい。
通信部３６は、制御部３０による制御に応じてネットワーク９に接続し、カメラ１との間及び表示端末４との間で通信を行う。
【００２２】
（表示端末の構成）
図４は、図１に示された表示端末のブロック図である。表示端末４は、制御部４０と、フラッシュメモリ４１と、無線通信部４６と、タッチスクリーンディスプレイ４７とを有している。これらの各部には、図示しないバッテリーから電力が供給される。制御部４０は、フラッシュメモリ４１、無線通信部４６及びタッチスクリーンディスプレイ４７と、それぞれ信号線で接続されている。制御部４０は、各種制御を行うために、フラッシュメモリ４１からプログラム４２をロードして実行する。フラッシュメモリ４１には、プログラム４２の他に、地図データ４３が保存されている。
【００２３】
無線通信部４６は、制御部４０による制御に応じてネットワーク９に無線で接続し、サーバ３との間で通信を行う。タッチスクリーンディスプレイ４７は、制御部４０から送信される映像信号に基づいて映像を表示したり、入力情報を制御部４０に出力したりすることができる。
【００２４】
（動作）
図５は、図１に示されたシステムの動作を示すシーケンス図である。この実施の形態に係るシステムにおいて、カメラ１の制御部１０、サーバ３の制御部３０及び表示端末４の制御部４０は、以下のような手順で動作する。なお、図５において、カメラ１の制御部１０の動作を示すステップ番号には「ｃ」を付し、サーバ３の制御部３０の動作を示すステップ番号には「ｓ」を付し、表示端末４の制御部４０の動作を示すステップ番号には「ｄ」を付している。
【００２５】
カメラ１の制御部１０は、ステップＳ１ｃにおいて、ＧＰＳ受信機２２及び電子コンパス２３を用いて、当該カメラの現在位置及び現在の方向を検出する。次に、ステップＳ２ｃにおいて、カメラ１の制御部１０は、フラッシュメモリ２１に保存されているカメラＩＤ、並びに検出された現在位置及び現在の方向を、無線通信部２０を用いてサーバ３に送信する。ステップＳ１ｃ及びＳ２ｃの処理は、所定時間が経過するごとに、例えば、１分ごとに行われる。あるいは、ステップＳ１ｃ及びＳ２ｃの処理は、当該カメラによって撮影動作が実行されるごとに行われるようにしてもよい。また、ステップＳ１ｃ及びＳ２ｃの処理は、所定時間が経過するごとに行われ、且つ、当該カメラによって撮影動作が実行されたときにも行われるようにしてもよい。
【００２６】
サーバ３の制御部３０は、ステップＳ３ｓにおいて、各カメラから送信されたカメラＩＤ、現在位置、及び現在の方向を受信し、これらを位置情報データベース３４に記憶させる。サーバ３の制御部３０は、ステップＳ３ｓの動作を一定時間ごとに繰り返す。あるいは、サーバ３の制御部３０は、各カメラからカメラＩＤ、現在位置、及び現在の方向を受信するごとに、新たな情報を位置情報データベース３４に記憶させる。これにより、位置情報データベース３４には、複数のカメラの各々から受信した現在位置及び現在の方向が記憶され、最新の情報が逐次更新される。
【００２７】
表示端末４の制御部４０は、ステップＳ４ｄにおいて、無線通信部４６を用いてサーバ３にアクセスし、各カメラの現在位置及び現在の方向の情報を要求する。表示端末４の制御部４０は、特定の地域を指定して、複数のカメラのうちの特定の地域内に位置する少なくとも１つのカメラについて、現在位置及び現在の方向の情報を要求してもよい。すなわち、表示端末４の制御部４０が要求する現在位置及び現在の方向の情報は、サーバ３の位置情報データベース３４に記憶されたすべてのカメラについての情報ではなくてもよい。
【００２８】
サーバ３の制御部３０は、ステップＳ５ｓにおいて、表示端末４からの要求に応じて、当該表示端末４に対して、各カメラのカメラＩＤ、現在位置、及び現在の方向の情報を送信する。
【００２９】
表示端末４の制御部４０は、ステップＳ６ｄにおいて、各カメラの現在位置及び現在の方向を地図上に表示する。より詳しくは、まず、表示端末４の制御部４０は、サーバ３から送信された各カメラのカメラＩＤ、現在位置、及び現在の方向の情報を受信する。次に、表示端末４の制御部４０は、フラッシュメモリ４１に記憶された地図データを読み出し、受信した各カメラの現在位置及び現在の方向を地図内に示した映像を生成する。そして、表示端末４の制御部４０は、生成された映像をタッチスクリーンディスプレイ４７に表示させる。
【００３０】
図６（Ａ）〜図６（Ｄ）は、表示端末４のタッチスクリーンディスプレイ４７に表示される映像の例を示す図である。図６（Ａ）に示されるように、表示端末４の制御部４０は、地図上に複数のカメラの現在位置及び現在の方向を示した映像を生成することができる。各カメラの現在位置は、図６（Ａ）における二等辺三角形Ａ〜Ｇの位置によって示すことができる。二等辺三角形Ａ〜Ｇは、互いに等しい二辺の長さが、残りの一辺の長さよりも長い形状を有している。上記残りの一辺から上記互いに等しい二辺間の頂点に向かう方向により、各カメラの現在の方向を示すことができる。
【００３１】
これにより、表示端末４のユーザは、他のユーザのカメラの現在位置及び方向から、他のユーザのカメラの撮影対象を知ることができる。表示端末４の制御部４０は、ステップＳ４ｄによる情報の要求を一定時間ごとに繰り返す。これにより、表示端末４のユーザは、最新の情報を随時知ることができる。
【００３２】
図６（Ａ）において、二等辺三角形Ｄ〜Ｇによって示される４つのカメラは、いずれも、破線囲み線Ｘで示される領域の周辺に位置し、且つ、これらのカメラの方向は、破線囲み線Ｘで示される領域を向いている。図６（Ａ）に示される映像が表示されることにより、表示端末４のユーザは、破線囲み線Ｘで示される領域に、注目すべき撮影対象が存在することを認識することができる。
【００３３】
図５を再び参照し、表示端末４の制御部４０は、ステップＳ７ｄにおいて、タッチスクリーンディスプレイ４７を介して、カメラの指定を受け付ける。例えば、タッチスクリーンディスプレイ４７に表示された映像において、二等辺三角形Ａが表示されている位置がユーザによってタッチされたとき、表示端末４の制御部４０は、二等辺三角形Ａによって示されるカメラが指定されたと判断する。
【００３４】
次に、表示端末４の制御部４０は、ステップＳ８ｄにおいて、指定されたカメラの情報を要求する信号をサーバ３に送信する。
ステップＳ９ｓにおいて、サーバ３の制御部３０は、表示端末４からの要求に応じて、ユーザデータベース３３又は画像データベース３５を検索し、ステップＳ１０ｓにおいて、検索結果に基づいて、カメラの情報を表示端末４に送信する。
次に、表示端末４の制御部４０は、ステップＳ１１ｄにおいて、サーバ３から送信されたカメラの情報を、タッチスクリーンディスプレイ４７に表示させる。
【００３５】
図６（Ｂ）に示されるように、サーバ３から送信されて表示端末４において表示されるカメラの情報は、当該カメラのユーザＩＤと、当該カメラの機種や型番などの情報である。
【００３６】
また、図６（Ｃ）に示されるように、サーバ３から送信されて表示端末４において表示されるカメラの情報は、当該カメラによって撮影された少なくとも１つの画像であってもよい。図６（Ｂ）に示されるカメラの情報の表示位置が表示端末４においてタッチされたときに、当該カメラによって撮影された画像がサーバ３から送信され、図６（Ｃ）に示される映像が表示端末４において表示されるようにしてもよい。図６（Ｃ）に示される画像のうちの１つの画像の表示位置が表示端末４においてタッチされたとき、当該１つの画像が拡大表示されるようにしてもよい。
【００３７】
このように、表示端末４にカメラの情報が表示されることにより、表示端末４のユーザは、他のユーザがどのような機材を使ったのか、どのような画像を撮影できたのかなどを参考にすることができる。
【００３８】
図６（Ｄ）に示されるように、タッチスクリーンディスプレイ４７は、特定のユーザに対するメッセージの入力画面を表示することができる。このメッセージは、図６（Ｂ）又は図６（Ｃ）において表示されたカメラのユーザに対する称賛でもよいし、どのようなレンズフィルターを使ったのかなどの、撮影条件に関する質問でもよい。
【００３９】
図５を再び参照し、表示端末４の制御部４０は、ステップＳ１２ｄにおいて、タッチスクリーンディスプレイ４７に対するユーザの操作に従い、指定されたカメラのユーザに対するメッセージを送信する。
サーバ３の制御部３０は、ステップＳ１３ｓにおいて、表示端末４から送信されたメッセージを、そのメッセージの宛先であるカメラ１に対して転送する。
カメラ１の制御部１０は、ステップＳ１４ｃにおいて、サーバ３から転送されてきたメッセージを受信し、例えばタッチスクリーンディスプレイ１７に表示させる。
【００４０】
このようにメッセージを送信できるようにすることにより、表示端末４のユーザとカメラ１のユーザとのコミュニケーションを図ることができる。カメラ１のユーザから、表示端末４のユーザに対して返答のメッセージを送れるようにしてもよい。
【００４１】
第１の実施の形態にかかるシステムによれば次の作用効果を奏することができる。
（１）第１の実施の形態にかかるシステムは、複数のカメラ１と、サーバ３と、表示端末４とを含む。複数のカメラ１の各々は、当該カメラの現在位置を検出するＧＰＳ受信機２２と、方向を検出する電子コンパス２３と、当該カメラの現在位置及び方向をサーバ３に送信する無線通信部２０と、を備える。サーバ３は、複数のカメラ１の各々から受信した現在位置及び方向が記憶される位置情報データベース３４と、複数のカメラ１に含まれる少なくとも１つのカメラの現在位置及び方向を、表示端末４からの要求に応じて表示端末４に送信する通信部３６と、を備える。表示端末４は、サーバ３に情報送信の要求を送信する無線通信部４６と、サーバ３から受信した情報であるカメラの現在位置及び方向を、地図内に示した映像を表示するタッチスクリーンディスプレイ４７と、を備える。
そのため、表示端末４のユーザは、タッチスクリーンディスプレイ４７に表示されたカメラの現在位置および方向、ならびに地図情報により、他のユーザのカメラの撮影対象を知ることができる。
【００４２】
（２）サーバ３は、複数のカメラ１の各々に関係付けられた情報を記憶する画像データベース３５をさらに備える。表示端末４は、タッチスクリーンディスプレイ４７に表示されている少なくとも１つのカメラの指定を受け付けるタッチスクリーンディスプレイ４７と、そのカメラに関係付けられた情報をサーバ３に要求する無線通信部４６と、をさらに備える。そして、サーバ３の通信部３６は、画像データベース３５に記憶されている指定されたカメラに関連付けられた情報を表示端末４からの要求に基づいて表示端末４に送信する。
そのため、表示端末４のユーザは複数のカメラについて、画像データベースに記憶されている、それぞれのカメラで撮影された画像を閲覧することにより、撮影場所を決定する際に参考にするカメラを決めることができる。また、表示端末４のユーザはそれぞれの画像の撮影条件も見ることができるので、撮影条件の参考にすることができる。
【００４３】
（第２の実施の形態）
図７は、本発明の第２の実施の形態に係るシステムを構成するサーバにおける位置情報データベースの構成を示す図である。第２の実施の形態においては、位置情報データベース３４ａが、各カメラの現在位置及び現在の方向だけでなく、過去の位置及び過去の方向についての履歴を保持できる点で、第１の実施の形態と異なる。
【００４４】
図７に示されるように、位置情報データベース３４ａは、カメラＩＤと、日時と、位置と、方向とを関連づけて記憶している。その他の構成については、第２の実施の形態に係るシステムは、図１〜図４を参照しながら説明した第１の実施の形態に係るシステムと同様である。
【００４５】
図８（Ａ）〜図８（Ｄ）は、表示端末４のタッチスクリーンディスプレイ４７に表示される映像の例を示す図である。図８（Ａ）には、図６（Ａ）に示された映像と同等の映像が示されている。図８（Ａ）に示される映像が表示されたタッチスクリーンディスプレイ４７において、二等辺三角形Ａで示されるカメラが指定されたとき、サーバ３は、当該カメラの過去の位置及び方向を示すデータを表示端末４に送信することができる。表示端末４は、図８（Ｂ）に破線の二等辺三角形で示されるように、当該カメラの過去の位置及び方向を示すデータを地図上に表示することができる。また、表示端末４は、図８（Ｂ）に太線で示されるように、当該カメラの移動の履歴を地図上に表示することができる。
【００４６】
これにより、表示端末４のユーザは、他のユーザの現在の場所やカメラの方向だけでなく、過去の位置やカメラの方向を知ることができる。
【００４７】
図８（Ｃ）には、図６（Ｃ）に示された映像と同等の映像が示されている。図８（Ｃ）に示される映像が表示されたタッチスクリーンディスプレイ４７において、１つの画像が指定されたとき、サーバ３は、当該画像の撮影日時に基づいて、当該撮影日時におけるカメラの位置及び方向を示すデータを表示端末４に送信することができる。表示端末４は、図８（Ｄ）に示されるように、当該画像の撮影日時におけるカメラの位置及び方向を示すデータを地図上に表示することができる。
【００４８】
これにより、表示端末４のユーザは、他のユーザの現在の場所やカメラの方向だけでなく、特定の画像を撮影したときのカメラの位置やカメラの方向を知ることができる。
他の点については、第１の実施の形態と同様であるので、説明を省略する。
【００４９】
以下のような変形も本発明の範囲内であり、変形例の１つ、もしくは複数を上述の実施の形態と組み合わせることも可能である。
【００５０】
（変形例１）
上述の実施の形態において、表示端末４が地図データ４３を保持する場合について説明したが、本発明はこれに限定されない。例えば、サーバ３のストレージ３１が地図データを保持してもよい。サーバ３は、少なくとも１つのカメラの現在位置及び方向の情報とともに、地図データを、表示端末４に送信してもよい。
【００５１】
（変形例２）
上述の実施の形態において、表示端末４が撮像機能を必ずしも有しない場合について説明したが、本発明はこれに限定されない。地図データがカメラ１のフラッシュメモリ２１に記憶され、表示端末４の動作と同じ動作を可能とするプログラムがカメラ１のフラッシュメモリ２１に記憶されている場合には、無線通信部およびタッチスクリーンディスプレイは両者ともに備えているので、表示端末４と同じ動作をカメラ１が行うことができる。
【００５２】
すなわち、変形例２にかかるシステムは、複数のカメラ１と、サーバ３とを含むシステムである。複数のカメラ１の各々は、当該カメラの現在位置を検出するＧＰＳ受信機２２と、方向を検出する電子コンパス２３と、当該カメラの現在位置および方向ならび情報送信の要求をサーバ３に送信する無線通信部２０と、サーバ３から受信した情報であるカメラの現在位置及び方向を、地図内に示した映像を表示するタッチスクリーンディスプレイ１７と、を備える。また、サーバ３は、複数のカメラ１の各々から受信した現在位置及び方向を記憶する位置情報データベース３４と、情報送信の要求に応じて、複数のカメラ１に含まれる前記少なくとも１つのカメラの現在位置及び方向を、要求を送信したカメラに送信する通信部３６と、を備える。
これにより、カメラの利用者間でコミュニケーションを図ることができる。
【００５３】
（変形例３）
上述の実施の形態において、カメラ１は、一眼レフカメラであってもよいし、撮像機能を搭載した携帯端末であってもよい。また、表示端末４は、車載ナビゲーション装置であってもよい。
【００５４】
（第３の実施の形態）
図９〜１３を参照して、本発明の第３の実施の形態を説明する。以下の説明では、第１の実施の形態と同じ構成要素には同じ符号を付して相違点を主に説明する。特に説明しない点については、第１の実施の形態と同じである。本実施の形態は、主に、表示端末における表示がカメラの属性を表す点、および撮影して得られた画像の配信システムを有する点で、第１の実施の形態と異なる。
撮影画像の配信システムとは、予め登録したカメラが撮影した画像の表示端末への配信が受けられるシステムである。たとえば、表示端末ＬがカメラＡ、Ｂを配信対象に登録すると、登録後にカメラＡおよびＢで撮影した画像が、表示端末Ｌに送信される。
【００５５】
第３の実施の形態に係るシステムが、複数のカメラ１と、サーバ３と、複数の表示端末４とを有している点は第１の実施の形態と同様である。
図９は、第３の実施の形態におけるカメラ１のブロック図である。第３の実施の形態におけるカメラ１は、第１の実施の形態におけるカメラ１と同様の構成であるが、フラッシュメモリ２１にはカメラ属性１０１がさらに保存されている。カメラ属性１０１は、当該カメラの属性を示すものであり、たとえばカメラ本体のメーカ、機種、型番、製造年、およびレンズの型番などを含む。レンズ交換式のカメラの場合には、制御部１０は、当該カメラの電源がＯＮにされるたびにレンズの型番を読み込み、フラッシュメモリ２１のカメラ属性１０１に書き込む。カメラ属性１０１は、所定時間が経過するごと、または当該カメラによって撮影動作が実行されるごとに、当該カメラの現在位置及び現在の方向とともにサーバ３に送信される。
【００５６】
図１０は、第３の実施の形態におけるサーバ３のブロック図である。第１の実施の形態におけるユーザデータベース３３に代わってユーザデータベース３３ａを備え、さらに配信リスト３８を備える。
ユーザデータベース３３ａは、ユーザＩＤと、カメラＩＤと、カメラメーカ、カメラ機種などのカメラ属性１０１と、当該カメラのユーザに関連するＵＲＬとを関連付けて記憶する。ユーザデータベース３３ａに記憶されるカメラ属性１０１は、カメラ１から当該カメラの現在位置及び現在の方向とともに受信して記憶する。ＵＲＬは、たとえば当該カメラのユーザの作成したホームページのＵＲＬ、ＳＮＳ（Ｓｏｃｉａｌ  ｎｅｔｗｏｒｋｉｎｇ  ｓｅｒｖｉｃｅ）サイトにおける当該カメラのユーザの投稿が記載されているＵＲＬ、または当該カメラのユーザのＳＮＳのアカウントと訪問者のアカウントを関連付ける処理を行うＵＲＬである。各カメラのユーザは、サーバ３に当該ユーザに関連するＵＲＬを登録しており、ユーザが複数のカメラを有している場合には、それらのカメラには共通するＵＲＬが関連付けられる。
【００５７】
図１１は、第３の実施の形態における表示端末４のブロック図である。フラッシュメモリ４１には、所有カメラ属性１０２がさらに記憶される。所有カメラ属性１０２とは、表示端末４のユーザが入力する、当該ユーザの所有しているカメラに関するカメラ属性１０１およびカメラＩＤである。当該ユーザが複数のカメラを所有する場合には、所有カメラ属性１０２には、複数のカメラ属性１０１および複数のカメラＩＤが保存される。後述するように、制御部４０は、所有カメラ属性１０２と同一のカメラ属性１０１またはカメラＩＤを有するカメラを、タッチスクリーンディスプレイ４７に特定の態様で表示する。
【００５８】
第３の実施の形態の動作を説明する。
図１２は、第３の実施の形態におけるシステムの動作を示すシーケンス図である。この実施の形態に係るシステムにおいて、カメラ１の制御部１０、サーバ３の制御部３０及び表示端末４の制御部４０は、以下のように動作する。
まず、カメラ１の制御部１０は、ステップＳ１ｃにおいて、ＧＰＳ受信機２２及び電子コンパス２３を用いて、当該カメラの現在位置及び現在の方向を検出する。次に、ステップＳ３０２ｃにおいて、カメラ１の制御部１０は、フラッシュメモリ２１に保存されているカメラＩＤ、カメラ属性１０１、並びに検出された現在位置及び現在の方向を、無線通信部２０を用いてサーバ３に送信する。ステップＳ１ｃ及びＳ３０２ｃの処理は、所定時間が経過するごとに、例えば、１分ごとに行われる。ただし、ステップＳ１ｃ及びＳ３０２ｃの処理は、当該カメラによって撮影動作が実行されるごとに行われてもよい。また、ステップＳ１ｃ及びＳ３０２ｃの処理は、所定時間が経過するごとに行われ、且つ、当該カメラによって撮影動作が実行されたときにも行われてもよい。
【００５９】
サーバ３の制御部３０は、ステップＳ３０３ｓにおいて、各カメラから送信されたカメラＩＤ、カメラ属性１０１、現在位置及び現在の方向を受信する。そして、カメラ属性１０１、現在位置及び現在の方向を、ユーザデータベース３３ａおよび位置情報データベース３４の、受信したカメラＩＤに対応する位置に記憶させる。サーバ３の制御部３０は、ステップＳ３０３ｓの動作を一定時間ごとに繰り返す。さらに、サーバ３の制御部３０は、各カメラからカメラＩＤ、カメラ属性１０１、現在位置及び現在の方向を受信するごとに、新たな情報をユーザデータベース３３ａおよび位置情報データベース３４に記憶させてもよい。
表示端末４の制御部４０は、ステップＳ４ｄにおいて、無線通信部４６を用いてサーバ３にアクセスし、各カメラのカメラ属性１０１、現在位置及び現在の方向の情報を要求する。
サーバ３の制御部３０は、ステップＳ５ｓにおいて、表示端末４からの要求に応じて、当該表示端末４に対して、各カメラのカメラＩＤ、カメラ属性１０１、現在位置、及び現在の方向の情報を送信する。
【００６０】
表示端末４の制御部４０は、ステップＳ３０６ｄにおいて、各カメラの現在位置及び現在の方向を、カメラ属性１０１の少なくとも一部が一致するカメラ同士を同一の態様で地図上に表示する。また、所有カメラ属性１０２と少なくとも一部が一致するカメラ属性１０１、またはカメラＩＤを有するカメラを特定の態様で地図上に表示する。より詳しくは、まず、表示端末４の制御部４０は、サーバ３から送信された各カメラのカメラＩＤ、現在位置、及び現在の方向の情報を受信する。次に、表示端末４の制御部４０は、フラッシュメモリ４１に記憶された地図データ４３および所有カメラ属性１０２を読み出し、受信した各カメラの現在位置及び現在の方向をカメラ属性１０１および所有カメラ属性１０２に応じて異なる態様で地図内に示した映像を生成する。態様とは、たとえば色、形状、点滅速度、塗りつぶしの模様である。そして、表示端末４の制御部４０は、生成された映像をタッチスクリーンディスプレイ４７に表示させる。
たとえば、カメラ属性１０１のメーカが一致するカメラ同士は同一の色で表示し、所有カメラ属性１０２の型番とカメラ属性１０１の型番が一致するカメラは特別なマークを付し、所有カメラ属性１０２のカメラＩＤと一致するカメラＩＤを有するカメラは点滅表示をする。
【００６１】
図１３（Ａ）および（Ｃ）は、図６（Ａ）および（Ｃ）に対応する、表示端末４のタッチスクリーンディスプレイ４７に表示される映像の例を示す図である。図１３（Ａ）に示されるように、表示端末４の制御部４０は、地図上に複数のカメラの現在位置及び現在の方向を示した映像を生成することができる。カメラ属性１０１のメーカが同一のカメラは、同一のハッチングにより表示されており、カメラＡ、Ｃ、Ｇが同一のメーカ、カメラＢ、Ｄが同一のメーカであることがわかる。また、カメラＡ、Ｇを表示する二等辺三角形は○で囲まれており、所有カメラ属性１０２の型番とカメラ属性１０１の型番が同一であることを示している。カメラＡを表示する二等辺三角形は点線で囲まれており、所有カメラ属性１０２のカメラＩＤと同一のカメラＩＤを有するカメラであることを示している。
【００６２】
図１２を再び参照し、表示端末４の制御部４０は、ステップＳ７ｄにおいて、タッチスクリーンディスプレイ４７を介して、カメラの指定を受け付ける。
表示端末４の制御部４０は、ステップＳ８ｄにおいて、指定されたカメラの情報を要求する信号をサーバ３に送信する。
サーバ３の制御部３０は、ステップＳ３０９ｓにおいて、表示端末４からの要求に応じて、ユーザデータベース３３ａから指定されたカメラに関するＵＲＬの情報、および画像データベース３５から指定されたカメラに関する画像の情報を検索する。
【００６３】
次に、サーバ３の制御部３０は、ステップＳ１０ｓにおいて、検索結果に基づいて、カメラの情報を表示端末４に送信する。
次に、ステップＳ３１１ｄにおいて、表示端末４の制御部４０は、サーバ３から送信されたカメラの情報に基づき、受信したＵＲＬへのリンクボタン、配信登録ボタン、および受信した画像の一覧を配置した映像を生成し、タッチスクリーンディスプレイ４７に表示させる。表示の一例を図１３（Ｃ）に示す。
ユーザがタッチスクリーンディスプレイ４７に表示されたＵＲＬへのリンクボタンをタッチすると、制御部４０はそのＵＲＬにより示されたデータを取得し、タッチスクリーンディスプレイ４７に表示する。ＵＲＬにより示されるデータとは、たとえば指定されたカメラのユーザが作成したホームページ、ＳＮＳサイトにおける指定されたカメラのユーザの投稿が記載されているページ、またはＳＮＳサイトにおける指定されたカメラのユーザのアカウントとの関連付けを行う、いわゆる「友達申請」を行うページ、のデータである。
【００６４】
図１２を再び参照し、表示端末４の制御部４０は、ステップＳ２０ｄにおいて、ユーザによるタッチスクリーンディスプレイ４７に表示された配信登録のボタンのタッチを待ち受け、タッチされるとステップＳ２１ｄに進む。
表示端末４の制御部４０は、ステップＳ２１ｄにおいて、サーバ３に当該表示端末の表示端末ＩＤ１０３および指定したカメラのカメラＩＤを送信する。
サーバ３の制御部３０は、ステップＳ２２ｓにおいて、配信リスト３８の受信したカメラＩＤの受信端末の欄に、受信した表示端末ＩＤ１０３を記録する。たとえば、サーバ３がカメラＢと表示端末Ｎというデータを受信すると、図１０の例に示すようにカメラＢの受信端末の欄にＮを記録する。
【００６５】
続いて図１４を参照して説明を続ける。不図示のレリーズスイッチがユーザによって押されると撮影部１１は被写体を撮影し、得られた画像を制御部１０に出力する。すると、カメラ１の制御部１０は、ステップＳ２３ｃにおいて、撮像部１１から出力された画像をメモリカード２４に保存する。また、カメラ１の制御部１０は、ＧＰＳ受信機２２及び電子コンパス２３を用いて、当該カメラの現在位置及び現在の方向を検出する。
カメラ１の制御部１０は、ステップＳ２４ｃにおいて、ステップＳ２３ｃにおいて撮影しメモリカード２４に保存した画像、カメラＩＤ、並びに検出された現在位置及び現在の方向を、無線通信部２０を用いてサーバ３に送信する。
サーバ３の制御部３０は、ステップＳ２５ｓにおいて、受信した画像を同時に受信したカメラＩＤにしたがって画像データベース３５に登録する。
【００６６】
サーバ３の制御部３０は、ステップＳ２６ｓにおいて、配信リスト３８を検索し、ステップＳ２５ｓにおいて受信したカメラＩＤに対応する受信端末を特定する。たとえば、ステップＳ２５ｓにおいて受信したカメラＩＤがカメラＣの場合には、図１０に示す例では表示端末Ｌ、Ｎ、Ｐが受信端末として特定される。
サーバ３の制御部３０は、ステップＳ２７ｓにおいて、ステップＳ２５ｓにおいて受信した画像を、ステップＳ２６ｓにおいて特定した表示端末に送信する。
表示端末４の制御部４０は、ステップＳ２８ｄにおいて、受信した画像を縮小したサムネイル画像を作成し、その一覧をタッチスクリーンディスプレイ４７に表示する。
【００６７】
ステップＳ２９ｄにおいて、タッチスクリーンディスプレイ４７に表示されたいずれかのサムネイル画像がユーザにより選択されると、タッチスクリーンディスプレイ４７は制御部４０に選択されたサムネイル画像を制御部４０に通知する。制御部４０は、タッチスクリーンディスプレイ４７から通知されたサムネイル画像に対応する、サーバ３から受信した画像をタッチスクリーンディスプレイ４７に表示する。
【００６８】
以上説明した第３の実施の形態によれば、次の作用効果を奏する。
（１）ユーザデータベース３３ａには、カメラ１の各々に関係付けられたＵＲＬを含む情報が記憶される。表示端末４の制御部４０は、タッチスクリーンディスプレイ４７に、ユーザデータベース３３ａに含まれるＵＲＬをリンク先とするハイパーリンクを表示する。
そのため、撮影して得られた画像に興味を持った表示端末４のユーザは、その写真を撮影したユーザに関する情報をＵＲＬのリンク先から取得することができる。
【００６９】
（２）カメラ１のフラッシュメモリ２１には、当該カメラの属性であるカメラ属性１０１が記憶される。無線通信部２０は、当該カメラの現在位置および方向に加えて、フラッシュメモリ２１に記憶したカメラ属性１０１もあわせてサーバ３に送信する。サーバ３のストレージ３１に記憶されるユーザデータベース３３ａには、カメラ属性１０１が記憶される。サーバ３の通信部３６は、カメラ１の現在位置および方向に加えてカメラ属性１０１もあわせて表示端末４に送信する。表示端末４の制御部４０は、サーバ３から受信したカメラ属性１０１の少なくとも一部が一致する複数のカメラ１について、サーバ３から受信したそれら複数のカメラ１の現在位置及び方向を同一の態様で表示する。
そのため、表示端末４のタッチスクリーンディスプレイ４７に表示されたカメラのうち、属性が共通するカメラを容易に識別することができ、その属性が共通するカメラで撮影された写真を閲覧することができる。たとえば、機種およびレンズの型番が同一ならばユーザの技量の差が撮影した写真に表れやすいため、機種およびレンズの型番が同一のカメラ属性１０１を有するカメラで撮影された写真を比較することにより、高い技量を有するユーザを探すことができる。
【００７０】
（３）表示端末４のフラッシュメモリ４１には、当該表示端末４のユーザが所有するカメラのカメラ属性１０１およびカメラＩＤから構成される所有カメラ属性１０２が記憶される。表示端末４の制御部４０は、サーバ３から受信したカメラ属性１０１が当該表示端末４の所有カメラ属性１０２の属性の少なくとも一部と一致するカメラ１について、そのカメラ１の現在位置及び方向をタッチスクリーンディスプレイ４７に特定の態様で表示する。
そのため、表示端末４のタッチスクリーンディスプレイ４７に表示されたカメラのうち、当該表示端末のユーザと属性が共通するカメラを容易に識別することができ、その属性が共通するカメラで撮影された写真を閲覧することができる。
【００７１】
（４）カメラ１は、当該カメラの識別情報であるカメラＩＤを記憶するフラッシュメモリ２１を備え、制御部１０は、撮像部１１が撮影して得られた画像および当該カメラのカメラＩＤを無線通信部２０によりサーバ３へ送信する。サーバ３は、カメラＩＤと表示端末の識別情報とを関連付けて保存する配信リスト３８を備え、制御部３０は、配信リスト３８に記載されたカメラＩＤとともに受信した画像を、通信部３６により当該カメラＩＤに関連付けられた表示端末４に送信する。
そのため、表示端末４のユーザは、配信登録をしたカメラ１で新たに撮影された画像を容易に入手することができる。
【００７２】
（５）表示端末４の制御部４０は、サーバ３から受信した画像の縮小画像であるサムネイル画像を作成し、作成したサムネイル画像の一覧をタッチスクリーンディスプレイ４７に表示する。タッチスクリーンディスプレイ４７に表示されたサムネイル画像がユーザにより選択されると、タッチスクリーンディスプレイ４７は制御部４０に選択されたサムネイル画像を通知する。制御部４０は、タッチスクリーンディスプレイ４７から通知されたサムネイルに対応する、サーバ３から受信した画像をタッチスクリーンディスプレイ４７に表示する。
そのため、表示端末４のユーザは、一覧性の良いサムネイル画像により概要を把握し、選択により詳細な画像を閲覧することができる。
【００７３】
（変形例４）
第３の実施の形態において、表示端末４が撮像機能を必ずしも有しない場合について説明したが、本発明はこれに限定されない。地図データがカメラ１のフラッシュメモリ２１に記憶され、表示端末４の動作と同じ動作を可能とするプログラムがカメラ１のフラッシュメモリ２１に記憶されている場合には、無線通信部およびタッチスクリーンディスプレイは両者ともに備えているので、表示端末４と同様の動作をカメラ１が行うことができる。
サーバ３のストレージ３１には、配信リスト３８に代えて配信リスト３８ａが保存される。
【００７４】
図１５は、変形例４においてサーバ３のストレージ３１に保存される、配信リスト３８ａの一例を示す図である。配信リスト３８ａは、撮影カメラと受信カメラの対応を記憶しており、撮影カメラの欄に記載されたカメラにより撮影して得られた画像は、サーバ３の制御部３０により、受信カメラの欄に記載されたカメラに配信される。すなわち、変形例４における配信リスト３８ａに記載された撮影カメラと受信カメラの関係は、第３の実施の形態における配信リスト３８に記載された撮影カメラと受信端末の関係に等しい。たとえば、図１５に示す例では、カメラＡにより撮影して得られた画像はカメラＢのみに配信され、カメラＢにより撮影して得られた画像はカメラＡ、Ｃ、Ｄに配信される。
【００７５】
以上説明した変形例４によれば、次の作用効果を奏する。
（１）サーバ３のユーザデータベース３３ａには、複数のカメラの各々に関係付けられたＵＲＬを含む情報が記憶される。サーバ３の制御部３０は、通信部３６によりユーザデータベース３３ａの情報をカメラ１からの要求に基づき当該カメラに送信する。カメラ１のタッチスクリーンディスプレイ１７は、タッチスクリーンディスプレイ１７に表示されているカメラの指定を受け付けて制御部１０に通知する。制御部１０は、タッチスクリーンディスプレイ１７から通知されたカメラの情報を、無線通信部２０からサーバ３へ要求する。制御部１０は、サーバ３からユーザデータベース３３ａの情報を受信すると、タッチスクリーンディスプレイ１７に、ユーザデータベース３３ａに含まれるＵＲＬをリンク先とするハイパーリンクを表示する。
そのため、撮影して得られた画像に興味を持ったカメラ１のユーザは、その写真を撮影したユーザに関する情報をＵＲＬのリンク先から取得することができる。
【００７６】
（２）カメラ１のフラッシュメモリ２１には、当該カメラの属性であるカメラ属性１０１を記憶する。無線通信部２０は、当該カメラの現在位置および方向に加えてカメラ属性１０１もあわせてサーバ３に送信する。サーバ３のストレージ３１に記憶されるユーザデータベース３３ａには、カメラ属性１０１が記憶される。サーバ３の通信部３６は、カメラ１の現在位置および方向に加えて、フラッシュメモリ２１に保存したカメラ１から受信したカメラ属性１０１もあわせて、情報送信の要求を送信したカメラ１に送信する。カメラ１の制御部１０は、サーバ３から受信したカメラ属性１０１の少なくとも一部が一致する複数のカメラ１について、サーバ３から受信した当該複数のカメラ１の現在位置及び方向を同一の態様で表示する。
そのため、表示端末４のタッチスクリーンディスプレイ１７に表示されたカメラのうち、属性が共通するカメラを容易に識別することができ、その属性が共通するカメラで撮影された写真を閲覧することができる。たとえば、機種およびレンズの型番が同一ならばユーザの技量の差が撮影した写真に表れやすいため、機種およびレンズの型番が同一のカメラ属性１０１を有するカメラで撮影された写真を比較することにより、高い技量を有するユーザを探すことができる。
【００７７】
（３）カメラ１の制御部１０は、サーバ３から受信したカメラ属性１０１が当該カメラのカメラ属性１０１の少なくとも一部と一致するカメラ１の現在位置及び方向について、特定の態様で表示する。
そのため、カメラ１のタッチスクリーンディスプレイ１７に表示されたカメラのうち、当該カメラと属性が共通するカメラを容易に識別することができ、その属性が共通するカメラで撮影された写真を閲覧することができる。
（４）カメラ１は、当該カメラの識別情報であるカメラＩＤが記憶されるフラッシュメモリ２１を備え、制御部１０は、撮像部１１が撮影して得られた画像および当該カメラのカメラＩＤを無線通信部２０によりサーバ３へ送信する。サーバ３は、撮影カメラと、撮影カメラで撮影して得られた画像を受信する受信カメラの組合せをカメラＩＤを用いて対応付ける配信リスト３８ａを備える。制御部３０は、配信リスト３８ａに記載された撮影カメラのカメラＩＤとともに受信した画像を、通信部３６により当該撮影カメラに関連付けられた受信カメラに送信する。
そのため、受信カメラのユーザは、配信登録をした撮影カメラで新たに撮影された画像を容易に入手することができる。
【００７８】
（５）カメラ１の制御部１０は、サーバ３から受信した画像の縮小画像であるサムネイル画像を作成し、作成したサムネイル画像の一覧をタッチスクリーンディスプレイ１７に表示する。タッチスクリーンディスプレイ１７に表示されたサムネイル画像がユーザにより選択されると、タッチスクリーンディスプレイ１７は制御部１０に選択されたサムネイル画像を通知する。制御部１０は、タッチスクリーンディスプレイ１７から通知されたサムネイルに対応する、サーバ３から受信した画像をタッチスクリーンディスプレイ１７に表示する。
そのため、カメラ１のユーザは、一覧性の良いサムネイル画像により概要を把握し、選択により詳細な画像を閲覧することができる。
【００７９】
（変形例５）
第３の実施の形態においては、表示端末４の制御部４０がサーバ３から受信した画像のサムネイル画像を作製したが、サーバ３がサムネイル画像を作成して表示端末４に送信してもよい。
表示端末４のタッチスクリーンディスプレイ４７に表示されたサムネイル画像がユーザにより選択されると、タッチスクリーンディスプレイ４７は制御部４０に選択されたサムネイル画像を制御部４０に通知する。制御部４０は、通知されたサムネイル画像の元の画像をサーバ３に要求し、得られた画像をタッチスクリーンディスプレイ４７に表示する。
この変形例５によれば、サーバ３から表示端末４に送信される画像がサムネイル画像なので、ファイルサイズが小さくデータの転送に必要な時間が短い。また、表示端末４はサムネイル画像を作成する処理が不要になるため、計算処理を削減することができる。
なお、変形例４におけるカメラ１の制御部１０によるサムネイル画像の作成も、同様にサーバ３により行ってもよい。
【００８０】
（変形例６）
第３の実施の形態では、カメラ１が撮影して画像が得られると、毎回サーバ３へアップロードしていたが、カメラ１のタッチスクリーンディスプレイ１７にアップロードの可否を問う表示を出力し、ユーザがアップロードに同意する旨の操作を行った場合のみアップロードしてもよい。
この変形例６によれば、カメラ１のユーザは撮影して得られた画像から、アップロードする画像、すなわち他人に閲覧を許可する画像を選択できるため、自信のある画像を選択してアップロードすることができる。
【００８１】
上述した各実施の形態および変形例は、それぞれ組み合わせてもよい。
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００８２】
１…カメラ、３…サーバ、４…表示端末、９…ネットワーク、１０…制御部、１１…撮像部、１２…光学ユニット、１３…撮像素子、１４…信号処理部、１５…駆動部、１６…操作部、１７…タッチスクリーンディスプレイ、１９…メモリカードＩ／Ｆ、２０…無線通信部、２１…フラッシュメモリ、２２…ＧＰＳ受信機、２３…電子コンパス、２４…メモリカード、３０…制御部、３１…ストレージ、３２…プログラム、３３、３３ａ…ユーザデータベース、３４、３４ａ…位置情報データベース、３５…画像データベース、３６…通信部、３８、３８ａ…配信リスト、４０…制御部、４１…フラッシュメモリ、４２…プログラム、４３…地図データ、４６…無線通信部、４７…タッチスクリーンディスプレイ、１０１…カメラ属性、１０２…所有カメラ属性、１０３…表示端末ＩＤ
【図１】
2015099581.tif 000003
【図２】
2015099581.tif 000004
【図３】
2015099581.tif 000005
【図４】
2015099581.tif 000006
【図５】
2015099581.tif 000007
【図６】
2015099581.tif 000008
【図７】
2015099581.tif 000009
【図８】
2015099581.tif 000010
【図９】
2015099581.tif 000011
【図１０】
2015099581.tif 000012
【図１１】
2015099581.tif 000013
【図１２】
2015099581.tif 000014
【図１３】
2015099581.tif 000015
【図１４】
2015099581.tif 000016
【図１５】
2015099581.tif 000017